(57)【要約】  パターのためのゴルフ・クラブ・ヘッド（２１）で、クラブ・ヘッド（２１）は、トー部分（２３）から突出しているトー翼（３１）とヒール部分（２５）から突出しているヒール翼（３１’）を有し、各々の翼（３１、３１’）は打球面（２７）から離れる方向に分岐する外側側面を有し、トー翼とヒール翼は一つ以上の補強手段（６５、７１、７１’、７３）に接続されている。
2007508099.tif 000002
【特許請求の範囲】
【請求項１】
クラブヘッド（２１）と、
クラブヘッド（２１）のトー部分（２３）から突設したトー翼（３１）と、
クラブヘッド（２１）のヒール部分（２５）から突設したヒール翼（３１’）と、
各々の前記翼（３１、３１’）が打球面（２７）から離れる方向へ分岐する外部の側面（３７）とを有するゴルフ・クラブ・ヘッド（２１）であって、トー翼（３１）とヒール翼（３１’）が少なくとも一つの補強手段（６５、７１、７１’、７３）へ接続されていることを特徴とするパター・クラブのためのゴルフ・クラブ・ヘッド（２１）。
【請求項２】
翼（３１、３１’）の後端部（４５）へ固定された少なくとも一つの補強手段（６５、７１、７１’）を有することを特徴とする請求項１に記載のゴルフ・クラブ・ヘッド（２１）。
【請求項３】
ゴルフ・クラブ・ヘッド（２１）の中間部分（２９’、７５）へ固定された少なくとも一つの補強手段（６５、７３）を有することを特徴とする請求項１に記載のゴルフ・クラブ・ヘッド（２１）。
【請求項４】
ゴルフ・クラブ・ヘッド（２１）は、翼（３１、３１’）の底部（３５）の間の空間を埋める中板（６５）を有することを特徴とする請求項１に記載のゴルフ・クラブ・ヘッド（２１）。
【請求項５】
横控え（７１、７１’）は、翼（３１、３１’）の後端部（４５）に接続されていることを特徴とする請求項１に記載のゴルフ・クラブ・ヘッド（２１）。
【請求項６】
翼（３１、３１’）の後端部（４５）を接続している横控え（７１、７１’）は、安定支持（７３）により、ゴルフ・クラブ・ヘッド（２１）の中間部分（７５）へ堅く接続されていることを特徴とする請求項１に記載のゴルフ・クラブ・ヘッド（２１）。
【請求項７】
ゴルフ・クラブ・ヘッド（２１）は、打球面（２７）に並行に位置する少なくとも一つの照準補助（４９）を有することを特徴とする請求項１に記載のゴルフ・クラブ・ヘッド（２１）。
【請求項８】
直線の側縁部（３９）は、基本的に相互に平行で、水平面において基本的に打球面（２７）に対し垂直な内面を、翼（３１、３１’）の各々が有することを特徴とする請求項１に記載のゴルフ・クラブ・ヘッド（２１）。
【請求項９】
直線の側縁部（３９）は、少なくとも１０ｍｍの長さを有することを特徴とする請求項５記載のゴルフ・クラブ・ヘッド（２１）。
【請求項１０】
トー翼（３１）とヒール翼（３１’）は、内面の直線の側縁部（３９）に平行な照準線印（４３）をそれぞれ有することを特徴とする請求項５に記載のゴルフ・クラブ・セット（２１）。
【請求項１１】
支持棒（７３）は、打球面（２７）に対し直角な、直線で平行な側縁部（７７）を有することを特徴とする請求項６に記載のゴルフ・クラブ・ヘッド（２１）。
【請求項１２】
クラブ・ヘッド（２１）の前部の上部表面（４７）は、前記打球面（２７）へ平行な照準線印（４９）を有することを特徴とする請求項３に記載のゴルフ・クラブ・ヘッド（２１）。
【請求項１３】
クラブ・ヘッド（２１）の質量中心は、打球面（２７）の中心よりも低く位置することを特徴とする請求項１に記載のゴルフ・クラブ・ヘッド（２１）。
【請求項１４】
底部（５５）が打球面（２７）から離れる方向へ基本的に水平に突出しているＬ型横断面を、トー部分（２３）とヒール部分（２５）が有することを特徴とする請求項１に記載のゴルフ・クラブ・ヘッド（２１）。
【請求項１５】
底部（３５）が外側表面（３７）から離れる方向へ基本的に水平に突設しているＬ型横断面を、前記翼（３１、３１’）の各々の中間部分が有することを特徴とする請求項１に記載のゴルフ・クラブ・ヘッド（２１）。
【請求項１６】
クラブ・ヘッド（２１）の後端部（４５）が基本的に３．５  ｋｇ／ｄｍ３以上の比重の材質により形成され、クラブ・ヘッド（２１）の前部（２３、２５、２７）が基本的に３．５  ｋｇ／ｄｍ３以下の比重の材質により形成されることを特徴とする請求項１に記載のゴルフ・クラブ・ヘッド（２１）。
【請求項１７】
クラブヘッド（２１）の底部（２９’、３５、５５）は、比重３．５  ｋｇ／ｄｍ３以上を有する材料で基本的に形成され、クラブ・ヘッド（２１）の上側部分（２９、４７）は、３．５  ｋｇ／ｄｍ３以下の比重の材料で基本的に形成されることを特徴とする請求項１に記載のゴルフ・クラブ・ヘッド（２１）
【請求項１８】
クラブ・ヘッド（２１）の後外部（４５）は、３．５  ｋｇ／ｄｍ３以上の比重の材料で基本的に形成され、前記クラブ・ヘッド（２１）の中間部（２９、２９’、７５）が３．５  ｋｇ／ｄｍ３以下の比重の材料で基本的に形成されることを特徴とする請求項１に記載のゴルフ・クラブ・ヘッド（２１）。
【発明の詳細な説明】
【技術分野】
【０００１】
本発明はゴルフのパターのためのクラブ・ヘッド、特に、上から見て翼型をし、クラブ・ヘッドの質量と比較し、パターの質量中心を通る水平軸（ｚ軸）と垂直軸（ｘ軸）に大きな慣性モーメントを示すパター・ヘッドに関する。このことにより、ゴルフボールがパターの「スイートスポット」（クラブ・ヘッドの重心の運動線上にある打球面上の点）の外側で打たれた場合の速度と方向における損失が減少する。また、本発明は、クラブ・ヘッドにおける、クラブ・ヘッドの翼の安定補助と一体化した照準補助にも関する。
【背景技術】
【０００２】
従来のパターは、「ヒール／トー加重」としてあるいは、いわゆる「木槌」型にデザインされている。
【０００３】
ヒール／トー加重のパターは、ｘ−軸について大きな慣性モーメントを有する。従って、水平方向の打ち損じの際にも、速度と方向にほとんど損失が生じない。他方、ｚ軸についての慣性モーメントは小さいため、垂直方向の打ち損じにおけるスピードの損失が大きくなる。
【０００４】
木槌パターは、ｚ軸方向に比較的大きな慣性モーメントを有し、垂直方向の打ち損じの際の速度の損失は比較的小さい。他方、ｘ軸についての慣性モーメントは比較的小さく、そのため、水平方向の打ち損じの際の速度と方向の損失が比較的大きい。
【０００５】
米国特許出願公開第２００３／０１３５４６Ａ１号明細書は、トーとヒール翼が後方に打球面から分岐する方向に突き出した翼型パター・ヘッドを開示している。パター・ヘッドの本体の凹部は、より軽い材料、好ましくはポリウレタンのような弾性体で充填されているため、質量中心が好ましい位置にある。
【０００６】
米国特許第６２７０４２２Ｂ１号明細書は、取り外し可能なヒール翼とトー翼を有するパターを開示している。そのパターでは、各々の翼の上部表面とクラブ・ヘッド上に照準補助がある。その照準補助は、Ｉ型をした表面の線印でクラブ・ヘッドの打球面に垂直な水平面に位置する。
【０００７】
クラブの上部表面にあり、クラブ・ヘッドの打球面に垂直な水平面に位置する照準線を備えたＴ型のパター・ヘッドを、米国特許５４７００７０号明細書は開示している。
【０００８】
国際公開第０１／９１８６０Ａｌ号パンフレットは、右利きと左利きの両方の競技者に適した、クラブ・ヘッドの上部表面に照準線のついている対称性を有するパター・ヘッドを開示している。
【０００９】
打つ瞬間に、ボールとの衝突においてクラブ・ヘッドの位置ができる限り小さい角度で影響を受けることは、パター・クラブの打球特性にとって非常に重要である。理想的なストロークでは、パターはスイートスポットでボールに当たる。クラブのヘッドだけでなく軸の部品も、ストロークにおいて移動する有効な主要部分である。柄のついたクラブのスウィートスポット（回転中心）は、クラブ・ヘッドだけのスウィートスポット（重心）よりも高い位置にある。実際には、大部分のパターは打球面の中心より高いスイートスポットを有する。ほとんどの競技者は、打球面の中心でボールを打つ。従って、クラブの真のスウィートスポットを打球面の中心方向へ下げるために、クラブ・ヘッドの主要部を低くすることは有益である。
【００１０】
さらに、パッティングでの良い成績のための重要な要素は、対象に対しパターを垂直に向けることができることである。より容易に狙いをつけられるように、様々なデザインがある。それらのデザインにおいては、クラブ・ヘッド上の直線または円、または軸の低い部分の形が、上から見るとパターの打球面に対して垂直な方向を想定している仮想の照準線を形づくっている。
【発明の開示】
【００１１】
本発明は、従来技術の欠点を改善することを目的とする。
【００１２】
下の記載と請求項に明記された特徴により目的は実現される。
【００１３】
従来技術によれば、パターのためのクラブ・ヘッドは翼形を有しており、トー翼はクラブ・ヘッドのトー部分から後方へ広がり、クラブ・ヘッドの前部分の打球面から遠ざかる方向へ伸びており、ヒール翼はクラブ・ヘッドのヒール部分から後方へ広がり、クラブ・ヘッドの打面から遠ざかる方向へ伸びている。翼の外側の側端部はクラブ・ヘッドの打面から見ると拡散する方向を有している。
【００１４】
翼を支え、向かい側の翼の外翼部との間で広がる基本的には横の接続をクラブ・ヘッドは適切に有しているが、場合によっては、各々の翼の外翼とクラブ・ヘッドの前部分の間の接続、あるいは、言及した支持方法を組み合わせた接続を有する。
【００１５】
クラブ・ヘッドの質量中心は、打球面の中心より下に位置している。これは、ほぼＬ型をした横断面を前部分と中央部分に有効に有する翼によって実現される。翼の下部に顕著な量の質量を与える他の横断面の形でも使うことができる。
【００１６】
あるいは、軽い材料、例えばアルミニウムをクラブ・ヘッドの上部に使用し、重い材料、例えばタングステンをクラブ・ヘッドの低い位置に組み合わせることにより質量中心の位置を低くすることができる。
【００１７】
翼の後端部分へ向かい、袖の幅は増加すると同時に、垂直の壁の厚みは増加する。その結果、大きな質量も翼の後方に位置し、そのためスウィートスポットを通る垂直軸についてのクラブ・ヘッドの慣性モーメントが大きくなる。
【００１８】
軽い材料、例えばアルミニウムをクラブ・ヘッドの中央に使用し、クラブ・ヘッドの外側部分に重い材料、例えばタングステンを組み合わせることで垂直軸についてのクラブ・ヘッドの慣性モーメントを増加することもできる。スウィートスポットを通る水平な横の軸線についてクラブ・ヘッドが大きな慣性モーメントを示すことも有益である。重い材料をクラブ・ヘッド後方と外側の部分、すなわち、翼において最も外側に使用し、軽い材料をクラブ・ヘッドの中央部分と前方部分に使用することによりこれは実現される。下端、翼の内側端部表面は平行で水平面で見ると打面に対し直角であるが、それにより照準補助を形づくっている。
【００１９】
もう一つの方法として、または、上述の照準補助に加えて、翼上面にあるひとつ以上の照準線印の形式で照準補助を各々の翼は有する。なお、照準線印は打球面に対し水平面で直角である。
【００２０】
あるいは、翼間および／またはクラブ・ヘッドの前部と翼の間の補強接続部に位置する、または一体化された照準補助をクラブ・ヘッドは有する。
【００２１】
クラブ・ヘッドの前部分は、打面、トー部分、ヒール部分と、軸−接続部から構成される。
【００２２】
軸−接続部において、クラブ・ヘッドの下部に顕著な量の質量を配置するために、前クラブ部分は好ましくはＬ形の横断面を有している。あるいは、軸−接続部は横たわったＵ型に近い横断面を有する。その軸−接続部では、この領域に大きなクラブ質量が配置されることなく軸にしっかりと連結するように上の側面と下の側面が形成されている。Ｕ字形の軸−つながり部は、ほぼＬ型の断面、またはクラブ・ヘッドの下部に顕著な量の質量を与える他の断面形状に徐々に変化する。
【００２３】
トー部とトー翼の間の変化、ヒール部とヒール翼の間の変化、各々において垂直の壁の厚さは適切に増加し充分な安定性を翼に与える。
【００２４】
クラブ・ヘッドの前部分の上側表面は、打球面に平行な照準線印の形で付加的な照準補助を適切に有する。
【００２５】
同様に、打球面に対し垂直な一つ以上の照準線印の形で、軸−接続部の上側表面は一つ以上の照準補助を適切に有する。一つ以上の突出する照準ピンから成る軸−接続部によって、照準線印は打球面から離れる方向へ好都合に延長される。好ましくは、軸−つながり部の照準線印のうちの一つは、クラブ・ヘッドの「スイートスポット」を通って延びている垂直面と一致する。
【００２６】
クラブ・ヘッド（横縁、照準ピンや類似物）の幾何学的な形によって、形づくられる照準線印の他に、照準線印は、例えば、凹型、圧痕、立面図、カラー刻印または類似物によって、形づくられる。
【００２７】
以下では、添付図面に視覚化された好適な実施形態の限定されない例を記載する。
【００２８】
図１は、トー／ヒール加重のクラブ・ヘッドの原理図面を平面図で示す。
【００２９】
図２は、「小槌」形のクラブ・ヘッドの原理図面を平面図で示す。
【００３０】
図３は、発明に係る、翼形のクラブ・ヘッドの透視図を示す。
【００３１】
図４は、クラブ・ヘッドの正面図を示す。
【００３２】
図５は、クラブ・ヘッドの背面図を示す。
【００３３】
図６は、図５で示すように上から見ており、クラブ・ヘッドを通る水平方向断面ＶＩ−ＶＩを示す。
【００３４】
図７は、図６に示すように、クラブ翼を通る横断面ＶＩＩ−ＶＩＩを示す。
【００３５】
図８は、クラブ・ヘッドの側面図を示す。
【００３６】
図９は、発明に係る、代案となる翼形のクラブ・ヘッドの透視図を示す。
【００３７】
図１０は、発明に係る、さらなる代案となる翼形のクラブ・ヘッドの透視図を示す。
【００３８】
図１１は、発明に係る、翼形のクラブ・ヘッドの更に典型的な実施形態の平面図を示す。
【００３９】
図１２は、図１１の典型的な実施形態の透視図に示す。
【００４０】
図１において、参照番号１は、従来技術に係る質量をトー／ヒール加重分布した、トー部分３、ヒール部分５、打球面７と軸（図示せず）への接続部分９からなるクラブ・ヘッドを示す。矢印Ｓは、ストロークの方向を示す。
【００４１】
図２において、数字１１は従来技術に係る「小槌」形のクラブ・ヘッドを明示する。他の番号は図１と同じ指示である。
【００４２】
図３−８において、参照番号２１はトー部分２３、ヒール部分２５、打球面２７、軸（図示せず）への上下の接続部分２９、２９’からなる翼形クラブ・ヘッドを示す。トー翼３１は、トー部分２３から突出する。ヒール翼３１’はヒール部分２５から突出する。
【００４３】
各々の翼３１、３１’は垂直の側壁３３と基本的に水平な底部部分３５を備え、ともにおおよそＬ型の横断面を形づくる。垂直の側壁３３は、外側の側面３７を有する。底部部分３５は、内部横縁３９と上部底面４１を有する。横縁３９に平行に位置し、横縁３９の直線部分のほぼ全長にのびている凹型照準溝４３を上部底面４１は有する。直線の横縁部分３９は、好ましくは少なくとも１０ｍｍである。後端部部分４５において、翼３１、３１’の横断面はＬ型から長方形に除々に変化する。
【００４４】
各々の翼３１、３１’も翼上面４２を備え、それぞれの翼は照準線の刻印４４を有する。照準線の刻印４４は、水平面において、相互に平行で、それぞれの翼３１、３１’の直線横縁３９に平行である。
【００４５】
前トップ表面４７は打球面２７に平行な凹型照準溝４９を有する。
【００４６】
接続部２９、２９’は、軸（図示せず）の挿入のための穴５１、５１’を適切に有する。
【００４７】
上部接続部分２９は凹型照準溝５３を有する。その凹型照準溝５３は、水平面で打球面２７に直角であり、クラブ・ヘッドの「スウィートスポット」を通って延る打球面２７に直角な垂直面に位置する。照準溝５３は、軸穴５１によって分割されている。
【００４８】
図９はクラブ・ヘッド２１の他の実施形態を示す。この実施形態では、照準溝５３は照準ピン５４に沿って後方へ伸びている。
【００４９】
図１０は、翼３１、３１’の底部部分３５の間の空間を中板６５が埋めているクラブ・ヘッド２１の更なる実施形態を示す。中板６５の上の表面６６にある照準線印６７は打球面２７に対し直角である。
【００５０】
図１１と１２は、クラブ・ヘッド２１の更なる実施形態を示している。その実施形態では翼３１、３１’の底部分３５から突出している横控え７１、７１’を用いて、翼３１、３１’が相互に連結されている。安定支持７３によって、横控え７１、７１’は中間部分７５へ接続されている。安定支持７３は、打球面２７に垂直であって、直線で平行な横縁部分７７を有する。トップ表面７８は、照準線の刻印７９を有する。
【００５１】
トー部とヒール部２３、２５は独立してほぼＬ型横断面を有し、それぞれの部分において、下側の前部分５５は、基本的に水平に後方に打球面２７から離れる方向に突出する。下側の前部分５５は、軸への下側の接続部分２９’、あるいは、クラブ・ヘッドの中間部分と翼３１、３１’の底部３５へなめらかに変化する。
【００５２】
突出する翼３１、３１’の後端部分４５での質量集中によって、本発明に係るクラブ・ヘッド２１は大きな慣性モーメントを示す。
【００５３】
中板６５、あるいは横控え７１、７１’は、翼３１、３１’を相互に連結し翼３１、３１’を補強する。このことにより、クラブ・ヘッドの固有発振周波数が増加し、ストロークの瞬間にクラブ・ヘッド２１がボールへ衝突することで発生する可聴音を減少させる。同時に、横控え７１、７１’は、クラブ・ヘッド２１の後部分での質量集中を増加させる。
【００５４】
安定支持７３は、袖３１、３１’の剛性を更に増やす。
【００５５】
トー部とヒール部分２３、２５、ならびに翼３１、３１’は原則的にＬ型の横断面を有し、横控え７１、７１’が翼３１、３１’の底部３５から突出していることにより、打球面２７の中心よりもクラブ・ヘッド２１の質量中心が低く位置することが成し遂げられる。
【００５６】
照準溝４３、４４、４９、５３、５７とともに翼３１、３１’の内部横縁３９、あるいは、照準溝７９とともに安定支持７３の横縁部分７８は、ストロークの精度を上げる照準手段として機能する。
【図面の簡単な説明】
【００５７】
【図１】トー／ヒール加重のクラブ・ヘッドの原理を表す平面図である。
【図２】「小槌」形のクラブ・ヘッドの原理を表す平面図である。
【図３】発明に準じた、翼形のクラブ・ヘッドの透視図である。
【図４】クラブ・ヘッドの正面図である。
【図５】クラブ・ヘッドの背面図である。
【図６】図５で示すように上から見たクラブ・ヘッドを通る水平方向断面ＶＩ−ＶＩである。
【図７】図６に示すクラブ翼を通る横断面ＶＩＩ−ＶＩＩである。
【図８】クラブ・ヘッドの側面図である。
【図９】発明に係る、代案となる翼形のクラブ・ヘッドの透視図である。
【図１０】発明に係る、さらなる代案となる翼形のクラブ・ヘッドの透視図である。
【図１１】発明に係る、翼形のクラブ・ヘッドの更に典型的な実施形態の平面図である。
【図１２】図１１の典型的な実施形態の透視図である。
【図１】
2007508099.tif 000003
【図２】
2007508099.tif 000004
【図３】
2007508099.tif 000005
【図４】
2007508099.tif 000006
【図５】
2007508099.tif 000007
【図６】
2007508099.tif 000008
【図７】
2007508099.tif 000009
【図８】
2007508099.tif 000010
【図９】
2007508099.tif 000011
【図１０】
2007508099.tif 000012
【図１１】
2007508099.tif 000013
【図１２】
2007508099.tif 000014
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
クラブヘッド（２１）と、
クラブヘッド（２１）のトー部分（２３）から突出したトー翼（３１）と、
クラブヘッド（２１）のヒール部分（２５）から突出したヒール翼（３１’）と、
各々の前記翼（３１、３１’）が打球面（２７）から離れる方向へ分岐する外部の側面（３７）とを有するゴルフ・クラブ・ヘッド（２１）であって、クラブ・ヘッドの質量中心と一致する垂直軸周りのトー翼（３１）とヒール翼（３１’）の大部分の慣性モーメントは、翼（３１、３１’）の後端部の質量により得られ、各翼（３１、３１’）の後端部の単位長さあたりの質量は、付近の翼（３１、３１’）の中間部分の単位長さあたりの質量よりも大幅に大きく、トー翼（３１）とヒール翼（３１’）の後端部（４５）が少なくとも一つの補強手段（６５、７１、７１’、７３）へ接続されていることを特徴とするパター・クラブのためのゴルフ・クラブ・ヘッド（２１）。
【請求項２】
ゴルフ・クラブ・ヘッド（２１）の中間部分（２９’、７５）へ固定された少なくとも一つの補強手段（６５、７３）を有することを特徴とする請求項１に記載のゴルフ・クラブ・ヘッド（２１）。
【請求項３】
ゴルフ・クラブ・ヘッド（２１）は、翼（３１、３１’）の底部（３５）の間の空間を埋める中板（６５）を有することを特徴とする請求項１に記載のゴルフ・クラブ・ヘッド（２１）。
【請求項４】
横控え（７１、７１’）は、翼（３１、３１’）の後端部（４５）に接続されていることを特徴とする請求項１に記載のゴルフ・クラブ・ヘッド（２１）。
【請求項５】
翼（３１、３１’）の後端部（４５）を接続している横控え（７１、７１’）は、安定支持（７３）により、ゴルフ・クラブ・ヘッド（２１）の中間部分（７５）へ堅く接続されていることを特徴とする請求項１に記載のゴルフ・クラブ・ヘッド（２１）。
【請求項６】
直線の側縁部（３９）は、基本的に相互に平行で、水平面において基本的に打球面（２７）に対し垂直な内面を、翼（３１、３１’）の各々が有することを特徴とする請求項１に記載のゴルフ・クラブ・ヘッド（２１）。
【請求項７】
直線の側縁部（３９）は、少なくとも１０ｍｍの長さを有することを特徴とする請求項５記載のゴルフ・クラブ・ヘッド（２１）。
【請求項８】
クラブ・ヘッド（２１）の質量中心は、打球面（２７）の中心よりも低い位置にあることを特徴とする請求項１に記載のゴルフ・クラブ・ヘッド（２１）。
【請求項９】
底部（５５）が打球面（２７）から離れる方向へ基本的に水平に突出しているＬ型横断面を、トー部分（２３）とヒール部分（２５）が有することを特徴とする請求項１に記載のゴルフ・クラブ・ヘッド（２１）。
【請求項１０】
底部（３５）が外側表面（３７）から離れる方向へ基本的に水平に突設しているＬ型横断面を、前記翼（３１、３１’）の各々の中間部分が有することを特徴とする請求項１に記載のゴルフ・クラブ・ヘッド（２１）。
【請求項１１】
クラブ・ヘッド（２１）の後端部（４５）が基本的に３．５  ｋｇ／ｄｍ３以上の比重の材質により形成され、クラブ・ヘッド（２１）の前部（２３、２５、２７）が基本的に３．５  ｋｇ／ｄｍ３以下の比重の材質により形成されることを特徴とする請求項１に記載のゴルフ・クラブ・ヘッド（２１）。
【請求項１２】
クラブ・ヘッド（２１）の底部（２９’、３５、５５）は、比重３．５  ｋｇ／ｄｍ３以上を有する材料で基本的に形成され、クラブ・ヘッド（２１）の上側部分（２９、４７）は、３．５  ｋｇ／ｄｍ３以下の比重の材料で基本的に形成されることを特徴とする請求項１に記載のゴルフ・クラブ・ヘッド（２１）
【請求項１３】
クラブ・ヘッド（２１）の後外部（４５）は、３．５  ｋｇ／ｄｍ３以上の比重の材料で基本的に形成され、前記クラブ・ヘッド（２１）の中間部（２９、２９’、７５）が３．５  ｋｇ／ｄｍ３以下の比重の材料で基本的に形成されることを特徴とする請求項１に記載のゴルフ・クラブ・ヘッド（２１）。
【国際調査報告】
2007508099.tif 000015
2007508099.tif 000016